(57)【要約】バインダー用パンチ器具を提供する。そのパンチ器具は，下部部材，上部部材，連結部材及びパンチ部材を含む。下部部材は，バインダーの所定の部分に結合される。上部部材は，所定の距離をおいて，下部部材の上に配置される。連結部材は，下部部材及び上部部材を，所定の距離をとって連結する。パンチ部材は，回転可能に上部部材に結合され，胴体及び加圧部分を含む。胴体は，円筒状で，下縁に沿って刃を有し，上部部材に貫通させる。加圧部分は，胴体の上部を外側に湾曲させて形成される。
2010500930.tif 000002
【特許請求の範囲】
【請求項１】
バインダー用パンチ器具であって，
バインダーの所定の部分に結合される下部部材と，
下部部材の上に，所定の距離をとって配置される上部部材と，
下部部材及び上部部材を，所定の距離をとって連結するための連結部材と，
上部部材に回転可能に結合されており，胴体及び加圧部分を含むパンチ部材とを具え，
前記胴体は，円筒状で，下縁に沿って刃が形成され，上部部材を貫通しており，
前記加圧部分は，胴体の上部を外側に湾曲させて形成されることを特徴とするバインダー用パンチ器具。
【請求項２】
請求項１に記載のバインダー用パンチ器具であって，
ユーザーが，加圧部分の先端部に圧縮力及び回転力を加えた際に，滑ることなくパンチ部材を回転することができるように，パンチ部材の先端に複数の突出部を形成することを特徴とするバインダー用パンチ器具。
【請求項３】
請求項１に記載のバインダー用パンチ器具であって，
ユーザーが，加圧部分の先端部に圧縮力及び回転力を加えた際に，滑ることなくパンチ部材を回転することができるように，パンチ部材の上端部に複数の溝を形成することを特徴とするバインダー用パンチ器具。
【請求項４】
請求項１に記載のバインダー用パンチ器具であって，
下部部材は，バインダーに挿入されるために，その一側面に形成される穴を含むことを特徴とするバインダー用パンチ器具。
【請求項５】
請求項１に記載のバインダー用パンチ器具であって，
前記パンチ部材の胴体の下端から胴体に入る，対象物のパンチされた部分を容易に排出するために，パンチ部材の胴体が，胴体の下端部よりも内径の大きい上端部を有することを特徴とするバインダー用パンチ器具。
【請求項６】
請求項１に記載のバインダー用パンチ器具であって，
前記連結部材が，弾性材料によって形成されることを特徴とするバインダー用パンチ器具。
【請求項７】
請求項１に記載のバインダー用パンチ器具であって，
下部部材，上部部材及び連結部材が，一体として形成されることを特徴とするバインダー用パンチ器具。
【請求項８】
請求項１に記載のバインダー用パンチ器具であって，
パンチ部材が上部部材からはずれることを防止するために，胴体の外周側面上に形成される，複数の突出部を含むことを特徴とするバインダー用パンチ器具。
【請求項９】
請求項１に記載のバインダー用パンチ器具であって，
パンチ部材が上部部材からはずれることを防止するために，バインダー用パンチ器具が，パンチ部材の外周側面の周りに配置する結合部分をさらに含むことを特徴とするバインダー用パンチ器具。
【請求項１０】
請求項９に記載のバインダー用パンチ器具であって，
前記結合部分は，円形ワッシャー，クリップワッシャー又は直線状クリップのいずれか一つであることを特徴とするバインダー用パンチ器具。
【請求項１１】
請求項９に記載のバインダー用パンチ器具であって，
前記パンチ部材の胴体の外周側面上で，結合部分と対応する位置に，結合溝又は結合突出部を形成することを特徴とするバインダー用パンチ器具。
【請求項１２】
請求項１〜１１のいずれか一項に記載のバインダー用パンチ器具であって，
パンチ部材の加圧部分と接触するとともに，胴体の上端を覆う蓋を，さらに含むことを特徴とするバインダー用パンチ器具。
【発明の詳細な説明】
【技術分野】
【０００１】
本発明は，バインダー用パンチ器具，特には，バインダーに対象物をファイリングするために，一定の間隔で，対象物に複数の穴を形成するパンチ器具に関するものである。
【背景技術】
【０００２】
従来，図１に示すパンチが一般的に使用されている。
【０００３】
図１は，従来技術にかかるパンチの断面図である。
【０００４】
従来技術にかかるパンチ１０は，支持部分１及びプッシュバー２を含む。パンチ１０は，さらに，プッシュバー２の一側面に形成される，円筒状のパンチバー３を含む。支持部分１は，弾性部分４を介して，プッシュバー２と結合される。ユーザーが，プッシュバー２を押すと，プッシュバー２は，プッシュバー２と結合されるパンチバー３を押し，梃子の原理を用いて，あらかじめ定められたレベルの圧力が，瞬時に対象物５に作用する。その結果，パンチ金型６に支持された対象物５の，所定の位置に，パンチバー３の断面形状の種類に応じて，穴が形成される。
【０００５】
従来パンチ１０は，一般的にその体積が大きく，携帯しにくいという問題点がある。また，一つのパンチを用いて，バインダーに配置される複数のリングに対応するように，対象物５の対象位置に正確に穴を形成することは，非常に困難である。
【０００６】
そのような問題を克服するために，従来技術により、所定の間隔で配置する複数のパンチ１０を含むバインダー用パンチ器具（図示せず）が導入された。そのようなパンチ器具は，対象物に一定の間隔で複数の穴を形成する。しかしながら，そのバインダー用パンチ器具は，複数のパンチ１０を含むため，同様に，体積が大きいものとなる。
【０００７】
従来技術にかかるバインダー用パンチ器具は，また，以下のような不都合がある。学生のようなユーザーは，その体積が大きいことによって，従来のパンチ器具を，家から学校又は図書館に運ぶことが困難である。パンチ器具は，家で頻繁に使用されるものではないので，バインダー用パンチ器具を追加的に購入することは経済上負担が大きい。従来のバインダー用パンチ器具は，使用する際にも，整理される際にも，不便である。
【発明の概要】
【発明が解決しようとする課題】
【０００８】
本発明は，パンチと金型を用いて，所定の圧力レベルを瞬時に加えることによって穴を形成するという従来のパンチ器具とは異なり，単純な構造及び円筒状の刃を具える，加圧及び回転するパンチ部材を介して，一定の間隔で，対象物の所定の位置に，正確かつ円滑に穴を形成することができるバインダー用パンチ器具を提供することを目的とする。
【課題を解決するための手段】
【０００９】
前記目的を達成するために，本発明にかかるバインダー用パンチ器具は，下部部材，上部部材，連結部材及びパンチ部材を含む。下部部材は，バインダーの所定の位置に結合される。上部部材は，所定の距離をおいて，下部部材の上に配置される。連結部材は，所定の距離をおいて，上部部材と下部部材を連結する。パンチ部材は，回転可能に上部部材と結合されるとともに，胴体及び加圧部分を含む。その胴体は，円筒状に形成され，下縁に沿って形成された刃を備え，上部部材を貫通する。加圧部分は，胴体の上方部を外側に曲げることにより形成される。
【発明の効果】
【００１０】
本発明の実施形態にかかるバインダー用パンチ器具は，以下の効果を奏する。
【００１１】
第一に，本発明の実施形態にかかるパンチ器具は，体積が小さく，持ち運びが容易である。したがって，学生のようなユーザーは，家から学校又は図書館に，また，その逆も同様に，パンチ器具の持ち運びが便利となる。
【００１２】
第二に，本発明の実施形態にかかるパンチ器具は，バインダーの所定の位置に配置することが可能である。ユーザーが，バインダーにファイリングするためにパンチ器具を頻繁に使用する場合は，バインダーに紙，布，ビニール，革等の対象物をファイリングするために対象物に穴を開ける際に，バインダーに配置されたパンチ器具を使用することは，非常に好都合である。
第三に，本発明の実施形態にかかるパンチ器具は，ユーザーの指を守るとともに，より少ない力で対象物に穴を開けることを可能とする加圧部分を含む。
第四に，本発明の実施形態にかかるパンチ器具は，胴体の先端を開閉する，パンチ部材の加圧部分に隣接する蓋を含み，それによって，対象物のパンチする部分を移動することが容易となる。
【図面の簡単な説明】
【００１３】
【図１】従来技術にかかるパンチの断面図である。
【図２】本発明の第１から第４の実施形態にかかるバインダー用パンチ器具の斜視図である。
【図３】第１の実施形態にかかるパンチャー器具の分解斜視図である。
【図４】図３に示すパンチ部材Ａを示す拡大断面図である。
【図５】図３に示すパンチ部Ａを示す拡大断面図である。
【図６】本発明の一実施形態にかかるバインダー用パンチ器具の連結部材の平面図及び断面図である。
【図７】図６の連結部材によって結合された，第１の実施形態にかかるパンチ器具の断面図である。
【図８】本発明の第２の実施形態にかかるバインダー用パンチ器具の分解斜視図である。
【図９】図８に示すパンチ部材Ｂの拡大断面図である。
【図１０】図８に示すパンチ部材Ｂの拡大断面図である。
【図１１】本発明の第３の実施形態にかかるバインダー用パンチ器具の分解斜視図である。
【図１２】図１１に示すパンチ部材Ｃの拡大断面図である。
【図１３】図１１に示すパンチ部材Ｃの拡大断面図である。
【図１４】図６の連結部材によって結合された，第３の実施形態にかかるパンチ器具の断面図である。
【図１５】本発明の第４の実施形態にかかるバインダー用パンチ器具の分解斜視図である。
【図１６】図１５に示すパンチ部材Ｄの拡大断面図である。
【図１７】図１５に示すパンチ部材Ｄの拡大断面図である。
【図１８】図６の連結部材によって結合された，第４の実施形態にかかるパンチ器具の断面図である。
【図１９】本発明の第１から第４の実施形態にかかるパンチ器具の利用状態を示す図である。
【図２０】本発明の第５の実施形態にかかるバインダー用パンチ器具の斜視図である。
【図２１】本発明の第６の実施形態にかかるバインダー用パンチ器具の斜視図である。
【図２２】本発明にかかるバインダー用パンチ器具の第１蓋の斜視図である。
【図２３】図２２に示す第１蓋の断面図である。
【図２４】パンチ器具と結合した，図２２に示す第１蓋の断面図である。
【図２５】パンチ器具と結合した，図２２に示す第１蓋の斜視図である。
【図２６】本発明にかかるバインダー用パンチ器具の第２蓋の斜視図である。
【図２７】パンチ器具と結合した，図２６に示す第２蓋の断面図である。
【図２８】図２６に示す第２蓋の断面図である。
【図２９】本発明にかかるバインダー用パンチ器具の第３蓋の平面図である。
【図３０】パンチ器具と結合した，図２９に示す第３蓋の断面図である。
【図３１】図２９に示す第３蓋の断面図である。
【発明を実施するための形態】
【００１４】
添付図面を参照しながら，以下に記載した実施形態から，本発明の他の対象や形態を詳細に説明する。
【００１５】
図２は，本発明の第１から第４の実施形態にかかるパンチ器具の斜視図である。
【００１６】
第１から第４の実施形態にかかる，それぞれのパンチ器具１００，２００，３００は，下部部材１１０，２１０，３１０，上部部材１２０，２２０，３２０及び連結部材１３０，２３０，３３０をそれぞれ含む。
【００１７】
以下，図２から７を参照しながら，第１の実施形態にかかるパンチ器具を説明する。
【００１８】
図３は，第１の実施形態にかかるバインダー用パンチ器具の分解斜視図であり，図４及び５は，図３に示すパンチ部材Ａを示す拡大断面図，図６は，本発明の実施形態にかかるバインダー用パンチ器具の連結部材を示す平面図及び断面図，図７は，図６の連結部材によって結合された，第１の実施形態にかかるパンチ器具の断面図である。
【００１９】
第１の実施形態にかかるパンチ器具は１００，下部部材１１０，上部部材１２０，連結部材１３０及びパンチ部材１４０を含む。
【００２０】
第１の実施形態にかかるパンチ器具において，図１９に示すように，下部部材１１０は，バインダー４００の一面に結合される。
【００２１】
上部部材１２０は，下部部材の上に所定の距離をおいて配置され，連結部材１３０と結合される。紙，布，ビニール，革等の対象物が上部部材１２０と下部部材１１０との間に挿入され，その対象物上の所定の位置にパンチされる。第１の実施形態にかかるパンチ器具は，二回折り返された弾性板（図示せず）を含む。上部部材１２０は，上端に配置された，折り返された板の一部を支持し，下部部材１１０は，下端に配置された，折り返された板の一部を支持する。連結部材１３０は，図３に示すように，上部部材１２０及び下部部材１１０に結合された，折り返された板の一部を支持する。
【００２２】
パンチ部材１４０は，上部部材１２０を貫通して，上部部材の一面に配置される。第１の実施形態にかかるパンチ器具１００は，バインダー４００に配置されるリング４１１の数と同じ数の，複数のパンチ部材１４０を含む。パンチ部材１４０は，リング４１１と同じ間隔で配置される。また，パンチ部材１４０は，バインダー４００に配置するリング４１１と同じ間隔で離間される。リング４１１の数は，二つ，三つ又はそれ以上とすることができる。
【００２３】
そのようなパンチ部材は，回転自由に上部部材１２０に結合される。対象物が，上部部材１２０と下部部材１１０との間に挿入されたとき，ユーザーは，対象物に穴を開けるために，パンチ部材１４０に圧力を加えて，回転させる。
【００２４】
より詳細には，それぞれのパンチ部材１４０は，シリンダー状胴体１４１及び加圧部分１４３を含む。
【００２５】
胴体１４１は，上端及び下端が開いたシリンダー形状を有し，刃１４６は，胴体１４１の下縁に沿って形成される。したがって，ユーザーが，紙，布，ビニール，革等の対象物に接触する下端とともに，胴体を加圧及び回転すると，胴体１４１の形状に沿って，対象物に円形の穴が形成される。このことを考慮して，図４及び５に示すように，胴体１４１の上端の内径は，胴体１４１の下端のそれよりも大きい。そのような胴体１４１の形状によって，パンチ部材１４０が対象物に穴を形成した後に，パンチ部材１４０を，対象物のパンチされた部分からはずすことが容易となる。
【００２６】
図７に示すように，胴体１４０は，上部部材１２０に挿入され，図６に示す結合部分１５０は，加圧されて，胴体１４１に接続される。結合部分１５０によって，パンチ部材１４０が，上部部材１２０から分離することが防止される。すなわち，パンチ部材１４０は，上部部材１２０を貫通し，結合部分１５０によって，上部部材１２０に結合される。結合部分１５０は，パンチ部材１４０を，上部部材１２０から上方に分離することを防止し，加圧部分１４３は，パンチ部材１４０を，上部部材１２０から下方に分離することを防止する。
【００２７】
図６に示すように，結合部分１５０は，円形ワッシャー１５１，クリップワッシャー１５２又は直線状クリップ１５３のような様々な形状を有する。
【００２８】
加圧部分１４３は，胴体１４１の先端に結合されることで，扁平に配置される。そのような加圧部分１４３は，ユーザーが胴体１４１の先端を加圧する際に，ユーザーの手を守り，より少ない力で対象物を加圧することができるようにする。複数の溝１４４又は複数の突出部１４５は，加圧部分１４３の先端側に形成される。この複数の溝１４４又は複数の突出部１４５は，パンチ部材１４０を容易に加圧及び回転させるために，ユーザーの指の滑りを防止する。
【００２９】
図８から１０を参照しながら，第２の実施形態にかかるバインダー用パンチ器具について説明する。
【００３０】
図８は，本発明の第２の実施形態にかかるバインダー用パンチ器具の分解斜視図であり，図９及び１０は，図８に示すパンチ部材Ｂの拡大断面図である。
【００３１】
第２の実施形態にかかるパンチ器具１００は，下部部材１１０，上部部材１２０，連結部材１３０及びパンチ部材１４０を含む。
【００３２】
第２の実施形態にかかるパンチ器具におけるパンチ部材１４０の，上部部材１２０及び胴体１４１は，第１の実施形態にかかるパンチ器具１００におけるパンチ部材１４０の，上部部材１３０及び胴体１４１と同じである。
【００３３】
上述の通り，パンチ部材１４０は，胴体１４１と加圧部分１４３を含む。胴体１４１は，図９及び１０に示すように，下端の内径よりも大きい内径をもつ上端を具える。
【００３４】
第１の実施形態にかかるパンチ器具とは異なり，複数の突出部１４７が，胴体１４１の外周側面に形成される。その突出部１４７は，パンチ部材１４０が上部部材１２０からはずれることを防止する。すなわち，突出部１４７は，上部部材１２０を貫通しているパンチ部材１４０が，上部部材１４０から上方にはずれることを防いでおり，加圧部分１４３は，パンチ部材１４０が上部部材１２０の下方にはずれることを防いでいる。
【００３５】
第３の実施形態にかかるバインダー用パンチ器具について，図１１から１４を参照しつつ，以下に説明する。
【００３６】
図１１は，本発明の第３の実施形態にかかるバインダー用パンチ器具の分解斜視図であり，図１２及び１３は，図１１に示すパンチ部材Ｃの拡大断面図である。また，図１４は，図６に示す結合部分を結合した，第３の実施形態にかかるパンチ器具の断面図である。
【００３７】
第３の実施形態にかかるパンチ器具２００は，下部部材２１０，上部部材２２０，連結部材２３０及びパンチ部材２４０を含む。
【００３８】
第３の実施形態にかかるパンチ器具のパンチ部材１００における，上部部材２２０及び胴体２４１は，第１の実施形態にかかるパンチ器具１００におけるパンチ部材１４０の，上部部材１２０及び胴体１４１と同じであるので，その詳細な説明は省略する。
【００３９】
上述の通り，パンチ部材２４０は，胴体２４１及び加圧部分２４３を含む。胴体２４１は，図１２及び１３に示すように，下端より内径が大きい上端を具える。胴体２４１の形状によって，パンチ部材２４０により対象物に穴が形成された後に，対象物の加圧された部分から上方に，パンチ部材２４０を容易にはずすことができるようになる。
【００４０】
結合溝２４２は，胴体２４１の外周側面上に形成される。上部部材２２０にパンチ部材２４０が挿入された後に，図６の結合部分１５０は結合溝２４２に結合される。結合部分１５０及び結合溝２４２は，パンチ部材２４０が上部部材２２０からはずれることを防止する。すなわち，結合部分１５０は，パンチ部材２４０が上部部材２２０から上方にはずれることを防止し，加圧部分２４３は，パンチ部材２４０が上部部材２２０から下方にはずれること防止する。
【００４１】
第１の実施形態と同様に，結合部分１５０は，円形ワッシャー１５１，クリップワッシャー１５２又は直線状クリップ１５３のような様々な形状を有する。
【００４２】
加圧部分２４３は，胴体２４１の先端と結合されることで，扁平に配置される。そのような加圧部分２４３は，ユーザーが胴体２４１の先端を加圧する際に，ユーザーの手を守り，より少ない力で対象物を加圧することができるようにする。複数の溝２４４又は複数の突出部２４５は，加圧部分２４３の先端側に形成される。この複数の溝２４４又は複数の突出部１４５は，パンチ部材１４０を容易に加圧及び回転させるために，ユーザーの指の滑りを防止する。
【００４３】
図１５から１８を参照しながら，本発明の第４の実施形態にかかるバインダーに用いる，パンチ器具を説明する。
【００４４】
図１５は，本発明の第４の実施形態にかかるバインダー用パンチ器具の分解斜視図であり，図１６及び１７は，図１５に示すパンチ部材の拡大断面図，図１８は，図６に示す結合部分と結合された，第４の実施形態にかかるパンチ器具の断面図である。
【００４５】
第４の実施形態にかかるパンチ器具３００は，下部部材３１０，上部部材３２０，連結部材３３０及びパンチ部材３４０を含む。
【００４６】
第４の実施形態にかかるパンチ器具におけるパンチ部材３４０の，上部部材３２０及び胴体３４１は，第１及び第３の実施形態にかかるパンチ器具１００，２００におけるパンチ部材１４０，２４０の上部部材１２０，２２０及び胴体１４１，２４１と同じであるので，その詳細な説明は省略する。
【００４７】
上述の通り，パンチ部材３４０は，胴体３４１及び加圧部分３４３を含む。胴体３４１は，図１６及び１７に示すように，下端より内径の大きい上端を具える。胴体３４１の形状によって，パンチ部材３４０が対象物に穴を形成した後に，パンチ部材３４０を，対象物のパンチされた部分から，上方に容易にはずすことができる。
【００４８】
結合突出部３４２は，胴体３４１の外周側面に形成される。パンチ部材３４０が上部部材３２０に挿入された後に，図６の結合部分１５０は，結合突出部３４２の先端と結合される。その結果，結合突出部３４２は，パンチ部材３４０が，上部部材３２０とはずれることを防止する。結合部分１５０は，結合突出部３４２を介して，結合突出部３４２の先端に結合するため，結合部分１５０は，弾性材料で生成することが好ましい。
【００４９】
すなわち，結合部分１５０は，上部部材３２０を貫通した後に，上部部材３２０に結合されたパンチ部材３４０が，上部部材３２０から上方にはずれることを防止し，加圧部分３４０は，後述するが，パンチ部材３４０が，上部部材３２０から下方にはずれることを防止する。
【００５０】
加えて，第２の実施形態にかかる胴体１４１の外周側面に形成される複数の突出部１４７は，それ自身で，パンチ部材が上部部材１２０からはずれることを防止する。突出部１４７と異なり，第４の実施形態にかかる結合部分３４２は，連結部材１５０を介して，パンチ部材が上部部材１２０からはずれることを防止する。また，結合突出部３４２は，胴体３４１の外面に沿って形成されるので，複数の突出部１４７とは異なる。
【００５１】
上述の通り，結合部分１５０は，円形ワッシャー１５１，クリップワッシャー１５２又は直線状クリップ１５３のような様々な形状を有する。
【００５２】
加圧部分３４３は，胴体３４１の先端に結合されることによって，扁平に配置される。そのような加圧部分３４３は，ユーザーが胴体３４１を加圧する際に，ユーザーの手を守るとともに，より少ない力で対象物を加圧できるようにする。複数の溝３４３又は複数の突出部３４５は，第４の実施形態にかかる加圧部分３４３の先端側に形成される。溝３４４又は突出部３４５は，パンチ部材３４０を容易に加圧及び回転できるように，ユーザーの指の滑りを防止する。
【００５３】
図２０を参照しながら，本発明の第５の実施形態にかかるバインダー用パンチ器具を，以下に説明する
【００５４】
図２０は，本発明の第５の実施形態にかかるバインダー用パンチ器具の斜視図である。
【００５５】
第５の実施形態にかかるパンチ器具は，下部部材５１０，上部部材５２０，連結部材５３０，パンチ部材１４０，２４０，３４０及び結合部分１５０を含む。
【００５６】
第５の実施形態によれば，バインダーに，第５の実施形態にかかるパンチ器具を挿入するために，複数の溝５１１は，下方要素５１０の一面に形成される。
【００５７】
パンチ部材１４０，２４０，３４０の加圧部分１４３，２４３，３４３は，パンチ部材１４０，２４０，３４０の先端に結合されることで，扁平に配置される。加圧部分１４３，２４３，３４３は，ユーザーがパンチ部材１３０，２３０，３４０の先端を加圧した際に，ユーザーの指を守るとともに，より少ない力で対象物を容易に加圧できるようにする。複数の溝１４４，２４４，３４４又は複数の突出部１４５，２４５，３４５は，加圧部分１４３，２４３，３４３の先端に形成される。溝１４４，２４４，３４４又は突出部１４５，２４５，３４５は，パンチ部材１４０，２４０，３４０を容易に加圧及び回転できるように，ユーザーの指の滑りを防止する。
【００５８】
連結部材５３０は，上部部材５２０と下部部材５１０を，所定の距離を保って連結する。本発明の第５の実施形態において，弾性力によって上部部材５２０と下部部材５１０を離すために，連結部材５３０には，弾性部材が使用される。第５の実施形態にかかるバインダー用パンチ器具に関しては，対象物は，上部部材５２０と下部部材５１０との間に配置され，ユーザーは，パンチ部材１４０，２４０，３４０を加圧する。ユーザーが，連結部材５３０の弾性力より強く加圧する場合は，上部部材５２０は，下部部材５１０のほうに異動する。したがって，上部部材５２０と下部部材５１０との間に配置される対象物に，穴が形成される。
【００５９】
第５の実施形態にかかるパンチ器具におけるパンチ部材１４０，２４０，３４０の，上部部材５２０及び胴体１４１は，第１，第２，第３の実施形態にかかるパンチ器具１００，２００，３００におけるパンチ部材１４０，２４０，３４０の，上部部材１２０，２２０，３２０及び胴体１４１，２４１，３４１と同じであるので，その詳細な説明は省略する。
【００６０】
図２１を参照しながら，本発明の第６の実施形態にかかるバインダー用パンチ器具を，以下に説明する。
【００６１】
図２１は，本発明の第６の実施形態にかかるバインダー用パンチ器具の斜視図である。
【００６２】
第６の実施形態にかかるパンチ器具は，下部部材５１０，上部部材５２０，パンチ部材１４０，２４０，３４０及び連結部材１５０を含む。
【００６３】
上述の通り，第５の実施形態にかかるパンチ器具は，それぞれ個別に形成される，下部部材５１０，上部部材５２０，及び連結部材５３０を含む。第５の実施形態にかかるパンチ器具と異なり，第６の実施形態においては，上部部材，下部部材及び連結部材は，一体として形成される。便宜上，下部部材６１０は，上部部材６２０と区別して説明する。
【００６４】
下部部材６１０は，パンチ部材１４０，２４０，３４０によって片側に形成される穴を具える，紙，布，ビニール，革のような対象物をファイリングするためのバインダー形状に形成される。そのような下部部材６１０は，対象物に形成される穴にリング６１１を挿入することによって，複数の対象物をファイリングするためのリング６１１を，片側に含む。
【００６５】
第６の実施形態にかかるパンチ器具における，上部部材６２０，パンチ部材１４０，２４０，３４０及び結合部分１５０は，第１，第３，第４の実施形態にかかるパンチ器具１００，２００，３００における，上部部材１２０，２２０，パンチ部材１４０，２４０及び結合部分１５０と同じであるので，その詳細な説明は省略する。
【００６６】
本発明の実施形態にかかるバインダー用パンチ器具は，図２２から３１に示すように，パンチ部材の加圧部分と接触し，胴体の先端を覆う蓋を含む。
【００６７】
図２２は，本発明にかかるバインダー用パンチ器具の第１蓋の斜視図であり，図２３は，図２２に示す第１蓋の断面図，図２４は，パンチ器具に結合される，図２２の第１蓋の断面図である。また，図２５は，パンチ器具に結合される，図２２の第１蓋の斜視図である。
【００６８】
図２２から２５に示すように，本発明の実施形態にかかる第１蓋７１０は，一体として形成される，挿入部分７１１，環状部分７１２，折り畳み部分７１３及び分離部分７１４を含む。
【００６９】
第１蓋７１０の環状部分７１２は，パンチ部材１４０，２４０，３４０の加圧部分１４３，２４３，３４３と，上部部材１２０，２２０，３２０，５２０との間に挿入される。挿入部分７１１は，折り畳み部分７１３によって折り畳まれ，パンチ器具１４０，２４０，３４０の胴体１４１，２４１，３４１に挿入される。
【００７０】
複数の突出部１４５，２４５，３４５及び溝１４４，２４４，３４４は，挿入部分７１１，折り畳み部分７１３及び分離部分７１４を挿入できるような形状で，加圧部分１４３，２４３，３４３の先端表面上に形成される。そのような突出部及び溝は，挿入部分７１１，折り畳み部分７１３及び分離部分７１４は，加圧部分の表面よりも高く突出することがなく、ユーザーがパンチ部材１４０，２４０，３４０を指で加圧及び回転する際に邪魔にならない。
【００７１】
挿入部分７１１は，傾斜した外周側面を有している。この傾斜した外周側面によって，挿入部分７１１は，摩擦力により堅く胴体と結合されるとともに，パンチ部材１４０，２４０，３４０により穴を開けた，対象物のパンチされた部分が，胴体１４１，２４１，３４１の外側にはずれることを防止する。
【００７２】
分離部分７１４により，対象物のパンチする部分を移動させるための，挿入部分７１１の開閉が容易となる。
【００７３】
図２６は，本発明にかかるバインダー用パンチ器具の第２蓋の断面図であり，図２７は，パンチ器具と結合された，図２６に示す第２蓋の断面図，図２８は図２６に示す第２蓋の斜視図である。
【００７４】
図２６から２８に示すように，第２蓋７２０は，一体として形成される，挿入部分７２１及び分離部分７２４を含む。
【００７５】
第２蓋７２０において，挿入部分７２１は，パンチ部材１４０，２４０，３４０の胴体１４１，２４１，３４１に挿入されている。
【００７６】
複数の突出部１４５，２４５，３４５及び溝１４４，２４４，３４４は，分離部分７２４を挿入できるような形状で，加圧部分１４３，２４３，３４３の先端表面上に形成される。そのような突出部及び溝の形状は，分離部分７２４は，加圧部分の表面より高く突出することがなく、ユーザーがパンチ部材１４０，２４０，３４０を指で加圧及び回転する際に邪魔にならない。
【００７７】
挿入部分７２１は，傾斜した外周側面を有している。この傾斜した外周側面によって，挿入部分７２１は，摩擦力により堅く胴体と結合されるとともに，対象物のパンチされた部分が，胴体１４１，２４１，３４１の外側にはずれることを防止する。
【００７８】
分離部分７２４により，対象物のパンチされた部分を移動するための，挿入部分７２１の開閉が容易となる
【００７９】
図２９は，本発明にかかるバインダー用パンチ器具の第３蓋の平面図であり，図３０は，パンチ器具と結合された，図２９の第３蓋の断面図，図３１は，図２９の第３蓋の斜視図である。
【００８０】
図２９から３１に示すように，第３蓋７３０は，一体として形成される，中央部分７３１，支持部分７３２，ロックプレート７３３及び分離部分７３４を含む。
【００８１】
中央部分７３１は，加圧部分１４３，２４３，３４３の隣に配置される。っロックプレート７３は，弾性力によって，加圧部分１４３，２４３，３４３と上部部材１２０，２２０，３２０との間に，強制的に挿入されるとともに，中央部分７３１及びロックプレート７３３に結合された支持部分７３２の弾性力によって，パンチ部材１４０，２４０，３４０と堅く結合される。複数の突出部１４５，２４５，３４５及び溝１４４，２４４，３４４は支持部分７３２を挿入できるような形状で，加圧部分１４３，２４３，３４３の先端表面上に形成される。そのような突出部及び溝の形状によって，分離部分７２４は，加圧部分の表面より高く突出することがなく、ユーザーがパンチ部材１４０，２４０，３４０を指で加圧及び回転する際に邪魔にならない。
【００８２】
第３蓋７３０の中央部分７３１によって，パンチ部材１４０，２４０，３４０によって穴を開けられた，対象物のパンチされた部分が，胴体１４１，２４１，３４１から外側にはずれることを防止する。
【００８３】
分離部分７３４は，対象物のパンチされた部分を適宜に除去できるように，ロックプレート７３３の取り付け又は取り外しを容易にする。
【００８４】
これを考慮すれば，複数の溝１４４，２４４，３４４及び突出部１４５，２４５，３４５は，第１蓋７１０，第２蓋７２０及び第３蓋７３０が挿入される位置において，結合することができることは明らかである。
【００８５】
特定の好ましい実施形態の観点から本発明を説明したが，本発明はこれに限定されず，当業者によって，特許請求の範囲に定義される発明の範囲を逸脱しない範囲で，様々な変形や改良が可能であることは明白である。
【図１】
2010500930.tif 000003
【図２】
2010500930.tif 000004
【図３】
2010500930.tif 000005
【図４】
2010500930.tif 000006
【図５】
2010500930.tif 000007
【図６】
2010500930.tif 000008
【図７】
2010500930.tif 000009
【図８】
2010500930.tif 000010
【図９】
2010500930.tif 000011
【図１０】
2010500930.tif 000012
【図１１】
2010500930.tif 000013
【図１２】
2010500930.tif 000014
【図１３】
2010500930.tif 000015
【図１４】
2010500930.tif 000016
【図１５】
2010500930.tif 000017
【図１６】
2010500930.tif 000018
【図１７】
2010500930.tif 000019
【図１８】
2010500930.tif 000020
【図１９】
2010500930.tif 000021
【図２０】
2010500930.tif 000022
【図２１】
2010500930.tif 000023
【図２２】
2010500930.tif 000024
【図２３】
2010500930.tif 000025
【図２４】
2010500930.tif 000026
【図２５】
2010500930.tif 000027
【図２６】
2010500930.tif 000028
【図２７】
2010500930.tif 000029
【図２８】
2010500930.tif 000030
【図２９】
2010500930.tif 000031
【図３０】
2010500930.tif 000032
【図３１】
2010500930.tif 000033
【国際調査報告】
2010500930.tif 000034
2010500930.tif 000035